【手続補正書】
【提出日】平成19年8月23日(2007.8.23)
【手続補正１】
【補正対象書類名】特許請求の範囲
【補正対象項目名】全文
【補正方法】変更
【補正の内容】
【特許請求の範囲】
【請求項１】
コイルを備えたステッピングモータと、ステッピングモータを駆動するモータ駆動回路と、モータ駆動回路にモータ駆動パルスを供給する駆動パルス発生回路とを有する電子時計であって、
外部操作により外部信号を入力する信号入力部と、
前記外部信号を受けて、当該電子時計の動作モードを、データ信号を受信するデータ受信モードと通常動作モードとの間で切り替えるモード設定部と、
前記動作モードが前記データ受信モードにある場合に、外部送信装置から送信される前記データ信号により前記コイルに誘起される電圧信号に基づいて受信データを生成し出力する検出回路と、を備え、
前記モータ駆動回路は、高電位側電源と低電位側電源との間に、ｐチャンネルトランジスタとｎチャンネルトランジスタを互いに直列接続した一方の一対トランジスタと、ｎチャンネルトランジスタとｐチャンネルトランジスタを互いに直列接続した他方の一対トランジスタと、を互いに並列接続してなり、各対トランジスタにおけるトランジスタとトランジスタとの接続点に前記コイルの各端子が各々接続され、一方の一対トランジスタのｐチャンネルトランジスタと他方の一対トランジスタのｎチャンネルトランジスタの各ゲート端子に前記駆動パルス発生回路から出力される制御信号が入力することにより当該各トランジスタがオンし、または一方の一対トランジスタ列のｎチャンネルトランジスタと他方の一対トランジスタ列のｐチャンネルトランジスタの各ゲート端子に前記駆動パルス発生回路から出力される制御信号が入力することにより当該各トランジスタがオンして前記コイルにモータ駆動パルスが出力されるように構成され、
前記検出回路は、基準電圧生成回路と、コンパレータと、を備え、
前記モード設定部によるデータ受信モードにおいては、前記モータ駆動パルスの出力が停止され、その際、前記一対トランジスタの一つのトランジスタがオンし他の各トランジスタがオフし、オフした側の一対トランジスタにおけるトランジスタとトランジスタとの接続点の電位が電気的に浮いたハイインピーダンス状態になり、前記コンパレータは、前記データ信号の送信により前記モータコイルに誘起される電圧信号に基づいた前記接続点の電位を前記基準電圧生成回路の基準電圧と比較し、その比較結果に基づいて前記受信データを生成し出力する
ことを特徴とする電子時計。
【請求項２】
請求項１記載の電子時計において、
前記コンパレータをデータ受信モード時を含む所定期間中のみ動作可能状態とするコンパレータ動作制御部を備えた
ことを特徴とする電子時計。
【請求項３】
請求項１記載の電子時計において、
動作モードがデータ受信モードである場合に、データ信号を送信する外部送信装置より入力された外部同期信号を基準として、外部送信装置の動作に同期した同期信号を生成する同期信号生成部を備えた
ことを特徴とする電子時計。
【請求項４】
コイルを備えたステッピングモータと、ステッピングモータを駆動するモータ駆動回路と、モータ駆動回路にモータ駆動パルスを供給する駆動パルス発生回路とを有する電子時計であって、
外部操作により外部信号を入力する信号入力部と、
前記外部信号を受けて、当該電子時計の動作モードを、データ信号を受信するデータ受信モードと通常動作モードとの間で切り替えるモード設定部と、
前記動作モードが前記データ受信モードにある場合に、外部送信装置から送信される前記データ信号により前記コイルに誘起される電圧信号に基づいて受信データを生成し出力する検出回路と、を備え、
前記モータ駆動回路は、高電位側電源と低電位側電源との間に、ｐチャンネルトランジスタとｎチャンネルトランジスタを互いに直列接続した一方の一対トランジスタと、ｎチャンネルトランジスタとｐチャンネルトランジスタを互いに直列接続した他方の一対トランジスタと、を互いに並列接続してなり、各対トランジスタにおけるトランジスタとトランジスタとの接続点に前記コイルの各端子が各々接続され、一方の一対トランジスタのｐチャンネルトランジスタと他方の一対トランジスタのｎチャンネルトランジスタの各ゲート端子に前記駆動パルス発生回路から出力される制御信号が入力することにより当該各トランジスタがオンし、または一方の一対トランジスタ列のｎチャンネルトランジスタと他方の一対トランジスタ列のｐチャンネルトランジスタの各ゲート端子に前記駆動パルス発生回路から出力される制御信号が入力することにより当該各トランジスタがオンして前記コイルにモータ駆動パルスが出力されるように構成され、
前記検出回路は、インバータを備え、
前記モード設定部によるデータ受信モードにおいては、前記モータ駆動パルスの出力が停止され、その際、前記一対トランジスタの一つのトランジスタがオンし他の各トランジスタがオフし、オフした側の一対トランジスタにおけるトランジスタとトランジスタとの接続点の電位が電気的に浮いたハイインピーダンス状態になり、前記インバータは、前記データ信号の送信により前記モータコイルに誘起される電圧信号に基づいた前記接続点の電位を前記インバータの基準電圧と比較し、その比較結果に基づいて前記受信データを生成し出力する
ことを特徴とする電子時計。
【請求項５】
請求項４記載の電子時計において、
動作モードがデータ受信モードである場合に、データ信号を送信する外部送信装置より入力された外部同期信号を基準として、外部送信装置の動作に同期した同期信号を生成する同期信号生成部を備えた
ことを特徴とする電子時計。
【請求項６】
コイルを備えたステッピングモータと、ステッピングモータを駆動するモータ駆動回路と、モータ駆動回路にモータ駆動パルスを供給する駆動パルス発生回路とを有し、
外部信号を受けて、当該電子時計の動作モードを、データ信号を受信するデータ受信モードと通常動作モードとの間で切り替えるモード設定部と、
前記動作モードが前記データ受信モードにある場合に、外部送信装置から送信される前記データ信号により前記コイルに誘起される電圧信号に基づいて受信データを生成し出力するコンパレータおよび基準電圧生成回路を具備する検出回路と、を備え、
前記モータ駆動回路は、高電位側電源と低電位側電源との間に、ｐチャンネルトランジスタとｎチャンネルトランジスタを互いに直列接続した一方の一対トランジスタと、ｎチャンネルトランジスタとｐチャンネルトランジスタを互いに直列接続した他方の一対トランジスタと、を互いに並列接続してなり、各対トランジスタにおけるトランジスタとトランジスタとの接続点に前記コイルの各端子が各々接続され、一方の一対トランジスタのｐチャンネルトランジスタと他方の一対トランジスタのｎチャンネルトランジスタの各ゲート端子に前記駆動パルス発生回路から出力される制御信号が入力することにより当該各トランジスタがオンし、または一方の一対トランジスタ列のｎチャンネルトランジスタと他方の一対トランジスタ列のｐチャンネルトランジスタの各ゲート端子に前記駆動パルス発生回路から出力される制御信号が入力することにより当該各トランジスタがオンして前記コイルにモータ駆動パルスが出力されるように構成される、
電子時計の制御方法であって、
前記外部信号を受けて、前記電子時計の動作モードを、データを受信するデータ受信モードと通常動作モードとの間で切り替えるモード設定過程と、
前記モード設定過程により、前記電子時計の動作モードが通常動作モードからデータ受信モードに切り替えられた場合に、前記モータ駆動パルスの出力が停止され、その際、前記一対トランジスタの一つのトランジスタがオンし他の各トランジスタがオフし、オフした側の一対トランジスタにおけるトランジスタとトランジスタとの接続点の電位が電気的に浮いたハイインピーダンス状態になり、その状態で前記コンパレータが、前記データ信号の送信により前記モータコイルに誘起される電圧信号に基づいた前記接続点の電位を前記基準電圧生成回路の基準電圧と比較し、その比較結果に基づいて前記受信データを生成し出力する受信データ生成過程と、を備えた
ことを特徴とする電子時計の制御方法。
【請求項７】
コイルを備えたステッピングモータと、ステッピングモータを駆動するモータ駆動回路と、モータ駆動回路にモータ駆動パルスを供給する駆動パルス発生回路とを有し、
外部信号を受けて、当該電子時計の動作モードを、データ信号を受信するデータ受信モードと通常動作モードとの間で切り替えるモード設定部と、
前記動作モードが前記データ受信モードにある場合に、外部送信装置から送信される前記データ信号により前記コイルに誘起される電圧信号に基づいて受信データを生成し出力するインバータを具備する検出回路と、を備え、
前記モータ駆動回路は、高電位側電源と低電位側電源との間に、ｐチャンネルトランジスタとｎチャンネルトランジスタを互いに直列接続した一方の一対トランジスタと、ｎチャンネルトランジスタとｐチャンネルトランジスタを互いに直列接続した他方の一対トランジスタと、を互いに並列接続してなり、各対トランジスタにおけるトランジスタとトランジスタとの接続点に前記コイルの各端子が各々接続され、一方の一対トランジスタのｐチャンネルトランジスタと他方の一対トランジスタのｎチャンネルトランジスタの各ゲート端子に前記駆動パルス発生回路から出力される制御信号が入力することにより当該各トランジスタがオンし、または一方の一対トランジスタ列のｎチャンネルトランジスタと他方の一対トランジスタ列のｐチャンネルトランジスタの各ゲート端子に前記駆動パルス発生回路から出力される制御信号が入力することにより当該各トランジスタがオンして前記コイルにモータ駆動パルスが出力されるように構成される、
電子時計の制御方法であって、
前記外部信号を受けて、前記電子時計の動作モードを、データを受信するデータ受信モードと通常動作モードとの間で切り替えるモード設定過程と、
前記モード設定過程により、前記電子時計の動作モードが通常動作モードからデータ受信モードに切り替えられた場合に、前記モータ駆動パルスの出力が停止され、その際、前記一対トランジスタの一つのトランジスタがオンし他の各トランジスタがオフし、オフした側の一対トランジスタにおけるトランジスタとトランジスタとの接続点の電位が電気的に浮いたハイインピーダンス状態になり、その状態で前記インバータが、前記データ信号の送信により前記モータコイルに誘起される電圧信号に基づいた前記接続点の電位を前記インバータの基準電圧と比較し、その比較結果に基づいて前記受信データを生成し出力する受信データ生成過程と、を備えた
ことを特徴とする電子時計の制御方法。
【請求項８】
請求項６または請求項７の電子時計の制御方法であって、
前記受信データ生成過程において、受信データの受信を完了した場合には、前記モード設定部により、当該電子時計の動作モードをデータ受信モードから通常動作モードに切り替えるモード復帰過程と、を備えた
ことを特徴とする電子時計の制御方法。
【手続補正２】
【補正対象書類名】明細書
【補正対象項目名】発明の名称
【補正方法】変更
【補正の内容】
【発明の名称】電子時計および電子時計の制御方法
【手続補正３】
【補正対象書類名】明細書
【補正対象項目名】０００１
【補正方法】変更
【補正の内容】
【０００１】
本発明は、電子時計および電子時計の制御方法に関する。
【手続補正４】
【補正対象書類名】明細書
【補正対象項目名】０００４
【補正方法】変更
【補正の内容】
【０００４】
そこで、本発明の目的は、ケースに組み込まれた完成品状態の電子時計において、データの書込を容易に行うことができるとともに、構造を複雑化することがない電子時計および電子時計の制御方法を提供することにある。
【手続補正５】
【補正対象書類名】明細書
【補正対象項目名】０００５
【補正方法】変更
【補正の内容】
【０００５】
上記目的を達成するために、本発明が採用する構成は、コイルを備えたステッピングモータと、ステッピングモータを駆動するモータ駆動回路と、モータ駆動回路にモータ駆動パルスを供給する駆動パルス発生回路とを有する電子時計であって、
外部操作により外部信号を入力する信号入力部と、前記外部信号を受けて、当該電子時計の動作モードを、データ信号を受信するデータ受信モードと通常動作モードとの間で切り替えるモード設定部と、前記動作モードが前記データ受信モードにある場合に、外部送信装置から送信される前記データ信号により前記コイルに誘起される電圧信号に基づいて受信データを生成し出力する検出回路と、を備え、
前記モータ駆動回路は、高電位側電源と低電位側電源との間に、ｐチャンネルトランジスタとｎチャンネルトランジスタを互いに直列接続した一方の一対トランジスタと、ｎチャンネルトランジスタとｐチャンネルトランジスタを互いに直列接続した他方の一対トランジスタと、を互いに並列接続してなり、各対トランジスタにおけるトランジスタとトランジスタとの接続点に前記コイルの各端子が各々接続され、一方の一対トランジスタのｐチャンネルトランジスタと他方の一対トランジスタのｎチャンネルトランジスタの各ゲート端子に前記駆動パルス発生回路から出力される制御信号が入力することにより当該各トランジスタがオンし、または一方の一対トランジスタ列のｎチャンネルトランジスタと他方の一対トランジスタ列のｐチャンネルトランジスタの各ゲート端子に前記駆動パルス発生回路から出力される制御信号が入力することにより当該各トランジスタがオンして前記コイルにモータ駆動パルスが出力されるように構成され、
前記検出回路は、基準電圧生成回路と、コンパレータと、を備え、
前記モード設定部によるデータ受信モードにおいては、前記モータ駆動パルスの出力が停止され、その際、前記一対トランジスタの一つのトランジスタがオンし他の各トランジスタがオフし、オフした側の一対トランジスタにおけるトランジスタとトランジスタとの接続点の電位が電気的に浮いたハイインピーダンス状態になり、前記コンパレータは、前記データ信号の送信により前記モータコイルに誘起される電圧信号に基づいた前記接続点の電位を前記基準電圧生成回路の基準電圧と比較し、その比較結果に基づいて前記受信データを生成し出力することを特徴としている。
【手続補正６】
【補正対象書類名】明細書
【補正対象項目名】０００６
【補正方法】変更
【補正の内容】
【０００６】
上記電子時計において、前記コンパレータをデータ受信モード時を含む所定期間中のみ動作可能状態とするコンパレータ動作制御部を備えたことを特徴としている。
【手続補正７】
【補正対象書類名】明細書
【補正対象項目名】０００７
【補正方法】変更
【補正の内容】
【０００７】
上記電子時計において、動作モードがデータ受信モードである場合に、データ信号を送信する外部送信装置より入力された外部同期信号を基準として、外部送信装置の動作に同期した同期信号を生成する同期信号生成部を備えたことを特徴としている。
【手続補正８】
【補正対象書類名】明細書
【補正対象項目名】０００８
【補正方法】変更
【補正の内容】
【０００８】
上記目的を達成するために、本発明が採用する他の構成は、コイルを備えたステッピングモータと、ステッピングモータを駆動するモータ駆動回路と、モータ駆動回路にモータ駆動パルスを供給する駆動パルス発生回路とを有する電子時計であって、
外部操作により外部信号を入力する信号入力部と、前記外部信号を受けて、当該電子時計の動作モードを、データ信号を受信するデータ受信モードと通常動作モードとの間で切り替えるモード設定部と、前記動作モードが前記データ受信モードにある場合に、外部送信装置から送信される前記データ信号により前記コイルに誘起される電圧信号に基づいて受信データを生成し出力する検出回路と、を備え、
前記モータ駆動回路は、高電位側電源と低電位側電源との間に、ｐチャンネルトランジスタとｎチャンネルトランジスタを互いに直列接続した一方の一対トランジスタと、ｎチャンネルトランジスタとｐチャンネルトランジスタを互いに直列接続した他方の一対トランジスタと、を互いに並列接続してなり、各対トランジスタにおけるトランジスタとトランジスタとの接続点に前記コイルの各端子が各々接続され、一方の一対トランジスタのｐチャンネルトランジスタと他方の一対トランジスタのｎチャンネルトランジスタの各ゲート端子に前記駆動パルス発生回路から出力される制御信号が入力することにより当該各トランジスタがオンし、または一方の一対トランジスタ列のｎチャンネルトランジスタと他方の一対トランジスタ列のｐチャンネルトランジスタの各ゲート端子に前記駆動パルス発生回路から出力される制御信号が入力することにより当該各トランジスタがオンして前記コイルにモータ駆動パルスが出力されるように構成され、
前記検出回路は、インバータを備え、
前記モード設定部によるデータ受信モードにおいては、前記モータ駆動パルスの出力が停止され、その際、前記一対トランジスタの一つのトランジスタがオンし他の各トランジスタがオフし、オフした側の一対トランジスタにおけるトランジスタとトランジスタとの接続点の電位が電気的に浮いたハイインピーダンス状態になり、前記インバータは、前記データ信号の送信により前記モータコイルに誘起される電圧信号に基づいた前記接続点の電位を前記インバータの基準電圧と比較し、その比較結果に基づいて前記受信データを生成し出力することを特徴としている。
【手続補正９】
【補正対象書類名】明細書
【補正対象項目名】０００９
【補正方法】変更
【補正の内容】
【０００９】
上記電子時計において、動作モードがデータ受信モードである場合に、データ信号を送信する外部送信装置より入力された外部同期信号を基準として、外部送信装置の動作に同期した同期信号を生成する同期信号生成部を備えたことを特徴としている。
【手続補正１０】
【補正対象書類名】明細書
【補正対象項目名】００１０
【補正方法】変更
【補正の内容】
【００１０】
上記目的を達成するために、本発明が採用する他の構成は、コイルを備えたステッピングモータと、ステッピングモータを駆動するモータ駆動回路と、モータ駆動回路にモータ駆動パルスを供給する駆動パルス発生回路とを有し、
外部信号を受けて、当該電子時計の動作モードを、データ信号を受信するデータ受信モードと通常動作モードとの間で切り替えるモード設定部と、前記動作モードが前記データ受信モードにある場合に、外部送信装置から送信される前記データ信号により前記コイルに誘起される電圧信号に基づいて受信データを生成し出力するコンパレータおよび基準電圧生成回路を具備する検出回路と、を備え、
前記モータ駆動回路は、高電位側電源と低電位側電源との間に、ｐチャンネルトランジスタとｎチャンネルトランジスタを互いに直列接続した一方の一対トランジスタと、ｎチャンネルトランジスタとｐチャンネルトランジスタを互いに直列接続した他方の一対トランジスタと、を互いに並列接続してなり、各対トランジスタにおけるトランジスタとトランジスタとの接続点に前記コイルの各端子が各々接続され、一方の一対トランジスタのｐチャンネルトランジスタと他方の一対トランジスタのｎチャンネルトランジスタの各ゲート端子に前記駆動パルス発生回路から出力される制御信号が入力することにより当該各トランジスタがオンし、または一方の一対トランジスタ列のｎチャンネルトランジスタと他方の一対トランジスタ列のｐチャンネルトランジスタの各ゲート端子に前記駆動パルス発生回路から出力される制御信号が入力することにより当該各トランジスタがオンして前記コイルにモータ駆動パルスが出力されるように構成される、
電子時計の制御方法であって、
前記外部信号を受けて、前記電子時計の動作モードを、データを受信するデータ受信モードと通常動作モードとの間で切り替えるモード設定過程と、
前記モード設定過程により、前記電子時計の動作モードが通常動作モードからデータ受信モードに切り替えられた場合に、前記モータ駆動パルスの出力が停止され、その際、前記一対トランジスタの一つのトランジスタがオンし他の各トランジスタがオフし、オフした側の一対トランジスタにおけるトランジスタとトランジスタとの接続点の電位が電気的に浮いたハイインピーダンス状態になり、その状態で前記コンパレータが、前記データ信号の送信により前記モータコイルに誘起される電圧信号に基づいた前記接続点の電位を前記基準電圧生成回路の基準電圧と比較し、その比較結果に基づいて前記受信データを生成し出力する受信データ生成過程と、を備えたことを特徴としている。
【手続補正１１】
【補正対象書類名】明細書
【補正対象項目名】００１１
【補正方法】変更
【補正の内容】
【００１１】
上記目的を達成するために、本発明が採用する他の構成は、コイルを備えたステッピングモータと、ステッピングモータを駆動するモータ駆動回路と、モータ駆動回路にモータ駆動パルスを供給する駆動パルス発生回路とを有し、
外部信号を受けて、当該電子時計の動作モードを、データ信号を受信するデータ受信モードと通常動作モードとの間で切り替えるモード設定部と、前記動作モードが前記データ受信モードにある場合に、外部送信装置から送信される前記データ信号により前記コイルに誘起される電圧信号に基づいて受信データを生成し出力するインバータを具備する検出回路と、を備え、
前記モータ駆動回路は、高電位側電源と低電位側電源との間に、ｐチャンネルトランジスタとｎチャンネルトランジスタを互いに直列接続した一方の一対トランジスタと、ｎチャンネルトランジスタとｐチャンネルトランジスタを互いに直列接続した他方の一対トランジスタと、を互いに並列接続してなり、各対トランジスタにおけるトランジスタとトランジスタとの接続点に前記コイルの各端子が各々接続され、一方の一対トランジスタのｐチャンネルトランジスタと他方の一対トランジスタのｎチャンネルトランジスタの各ゲート端子に前記駆動パルス発生回路から出力される制御信号が入力することにより当該各トランジスタがオンし、または一方の一対トランジスタ列のｎチャンネルトランジスタと他方の一対トランジスタ列のｐチャンネルトランジスタの各ゲート端子に前記駆動パルス発生回路から出力される制御信号が入力することにより当該各トランジスタがオンして前記コイルにモータ駆動パルスが出力されるように構成される
電子時計の制御方法であって、
前記外部信号を受けて、前記電子時計の動作モードを、データを受信するデータ受信モードと通常動作モードとの間で切り替えるモード設定過程と、前記モード設定過程により、前記電子時計の動作モードが通常動作モードからデータ受信モードに切り替えられた場合に、前記モータ駆動パルスの出力が停止され、その際、前記一対トランジスタの一つのトランジスタがオンし他の各トランジスタがオフし、オフした側の一対トランジスタにおけるトランジスタとトランジスタとの接続点の電位が電気的に浮いたハイインピーダンス状態になり、その状態で前記インバータが、前記データ信号の送信により前記モータコイルに誘起される電圧信号に基づいた前記接続点の電位を前記インバータの基準電圧と比較し、その比較結果に基づいて前記受信データを生成し出力する受信データ生成過程と、を備えたことを特徴としている。
【手続補正１２】
【補正対象書類名】明細書
【補正対象項目名】００１２
【補正方法】変更
【補正の内容】
【００１２】
上記電子時計の制御方法であって、前記受信データ生成過程において、受信データの受信を完了した場合には、前記モード設定部により、当該電子時計の動作モードをデータ受信モードから通常動作モードに切り替えるモード復帰過程と、を備えたことを特徴としている。
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】削除
【補正の内容】
【手続補正１６】
【補正対象書類名】明細書
【補正対象項目名】００１６
【補正方法】削除
【補正の内容】
【手続補正１７】
【補正対象書類名】明細書
【補正対象項目名】００１７
【補正方法】削除
【補正の内容】
【手続補正１８】
【補正対象書類名】明細書
【補正対象項目名】００１８
【補正方法】削除
【補正の内容】
【手続補正１９】
【補正対象書類名】明細書
【補正対象項目名】００１９
【補正方法】削除
【補正の内容】
【手続補正２０】
【補正対象書類名】明細書
【補正対象項目名】００２０
【補正方法】削除
【補正の内容】
【手続補正２１】
【補正対象書類名】明細書
【補正対象項目名】００２１
【補正方法】削除
【補正の内容】
【手続補正２２】
【補正対象書類名】明細書
【補正対象項目名】００２２
【補正方法】削除
【補正の内容】
【手続補正２３】
【補正対象書類名】明細書
【補正対象項目名】００２３
【補正方法】削除
【補正の内容】
【手続補正２４】
【補正対象書類名】明細書
【補正対象項目名】００２４
【補正方法】削除
【補正の内容】
【手続補正２５】
【補正対象書類名】明細書
【補正対象項目名】００２５
【補正方法】削除
【補正の内容】
【手続補正２６】
【補正対象書類名】明細書
【補正対象項目名】００２６
【補正方法】削除
【補正の内容】
【手続補正２７】
【補正対象書類名】明細書
【補正対象項目名】００２７
【補正方法】削除
【補正の内容】
【手続補正２８】
【補正対象書類名】明細書
【補正対象項目名】００２８
【補正方法】削除
【補正の内容】
【手続補正２９】
【補正対象書類名】明細書
【補正対象項目名】００２９
【補正方法】削除
【補正の内容】
【手続補正３０】
【補正対象書類名】明細書
【補正対象項目名】００３０
【補正方法】削除
【補正の内容】
【手続補正３１】
【補正対象書類名】明細書
【補正対象項目名】００３１
【補正方法】削除
【補正の内容】
【手続補正３２】
【補正対象書類名】明細書
【補正対象項目名】００３２
【補正方法】削除
【補正の内容】